(57)【要約】【課題】  感度の比較的高い撮影がなされる場合には、撮影した後に高感度撮影であることをユーザに知らせ、しかも、どの値の感度から知らせるべきかをユーザが設定できるようにする。【解決手段】  デジタルカメラで撮影すると、その撮影画像の感度が予め設定された値より高いか否かを判断し、高いときはその旨をユーザに報知する。その後、感度の変更を行うか否かはユーザが選択し（ステップＳ３１）、変更を行う場合は（ステップＳ３１のＹ）、さらにどの感度で撮影するかを選択できるようにして、次の撮影パラメータにできるようにする（ステップＳ３２）。【選択図】    図１６
2008147924.tif 000002
【特許請求の範囲】
【請求項１】
被写体を表す光学像を電気信号に変換する撮像手段と、
前記電気信号を映像処理信号に変換する信号処理手段と、
前記映像信号を情報記録媒体に記憶する画像記録手段と、
前記撮像手段による撮影時の感度を計算する撮影感度計算手段と、
前記撮影時の感度が予め設定されている一定の感度より高いか否かを判定する高感度撮影判定手段と、
前記高感度撮影判定手段により撮影感度が前記一定の感度より高いと判定されたとき、その旨を報知する報知手段と、
前記一定の感度を所望の値に設定する設定手段と、
を備えている撮像装置。
【請求項２】
画像を表示する画像表示手段をさらに備え、
前記報知手段は、前記画像表示手段により所定の画像を表示することで報知を行う、
請求項１に記載の撮像装置。
【請求項３】
前記報知手段は、前記画像表示手段により前記撮影感度計算手段で計算した感度を表示することで報知を行う、請求項２に記載の撮像装置。
【請求項４】
前記設定手段は、前記報知手段が前記画像表示手段により所定の画像を表示することで報知を行うときは、前記画像表示手段により画面上で前記一定の感度の所望の値への設定を行う、請求項２又は３に記載の撮像装置。
【請求項５】
前記設定手段は、前記画面上で表示された複数の感度の中から所望するもの選択することで前記設定を行う請求項４に記載の撮像装置。
【発明の詳細な説明】
【技術分野】
【０００１】
本発明は、いわゆるデジタルスチルカメラなどの撮像装置に関する。
【背景技術】
【０００２】
特許文献１には、被写体の撮影時のシャッタースピード情報及び絞り情報からなる露出情報を含む撮影情報の表示機能を備えた撮像装置について開示されている。
特許文献２には、高感度設定中である旨の警告を確実に促し、撮影の失敗を防止しようとする技術について開示されている。
すなわち、通常ＩＳＯ感度で撮影される標準撮影モードと、標準撮影モードよりも高感度で撮影が行われる高感度撮影モードとを有し、この２つのモード間の切り替えを可能としている。そして、高感度撮影モードに切り替えられる撮影がなされるときに警告表示を行うものである。
【０００３】
【特許文献１】特開２００４‐１５９１５０号公報
【特許文献２】特開２００５‐２６０７９３号公報
【発明の開示】
【発明が解決しようとする課題】
【０００４】
銀塩カメラとは異なり、デジタルカメラでは撮影時の感度を撮影シーンに応じて変更することができる。屋外など明るい撮影シーンでは感度を低く設定し、屋内などの暗い撮影シーンでは感度を高くし、シャッター速度があまり遅くならないようにするのはデジタルカメラならではの便利な機能である。
【０００５】
しかしながら、感度を高くすると、感度が低い場合と比べて撮影される画像がノイジィになってしまうという不具合がある。フィルムカメラでも感度の高いフィルムが、感度の低いフィルムで撮影するよりもノイジィ（画像が粗いなど）になることは周知であるが、現在のデジタルカメラの場合はフィルム撮影の場合よりもノイジィであり、感度の高い撮影は好まれていないのが現実である。
【０００６】
一方で、感度を上げることで手ぶれや、被写体ぶれが軽減でき、多少ノイジィとなっても、ぶれた写真より良いと判断される場合もある。つまり、多少ノイズ感が増したとしても、感度を上げることでシャッター速度を短くし、手ぶれ及び被写体ぶれを軽減するということである。
【０００７】
このように、感度アップによりノイズ感が増えてしまうことと、被写体ぶれを防止することはトレードオフの関係にあり、一般的にＩＳＯ感度ＡＵＴＯモードでは感度を上げるリミッターを設け、ノイズまみれの画像にならない範囲で感度を制御している。
【０００８】
ところで、このＩＳＯ感度ＡＵＴＯモードでは現在の撮影がどの程度のＩＳＯ感度で撮影されるのかが簡単に分からないという問題がある。ユーザは撮影した後、ＰＣ等で画像を確認してみると自分が想定していたよりもノイジィで大切な写真が台無しとなってしまうことになってしまう。このような失敗を防止するために、デジタルカメラに詳しいユーザは、自分が許せる範囲以上に感度が上がらないようにするためにＩＳＯ感度固定モードを使い撮影するという方法が知られているが、そのような煩わしい作業を行わなければならないということや、ＡＵＴＯＩＳＯ感度モードで撮影した方が感度が低く撮影できたのに固定モードで撮影したために感度が高くなってしまったということにもなりかねない。
また、最近のデジタルカメラでは撮影時の手ぶれを防止（軽減）する手ぶれ防止機能を備えているものが多くなっている。手ぶれを防止する機能を実現するのには様々な方法が提案されているが、大きく分類すると次の２つの方法がある。
【０００９】
１つ目の方法は、撮影時のぶれに対応して、ぶれを打ち消す方向にレンズユニットもしくはＣＣＤユニットを動かす方法である。この方法は、レンズ又はＣＣＤユニットを動かすための機構が必要であるということと、いわゆる被写体ぶれには対応できないという欠点がある。
【００１０】
２つ目の方法は、撮影時の感度を上げることにより手ぶれを防止（軽減）するという方法である。この方法は被写体ぶれも防止することができるが、撮影時の感度を通常より上げる必要があるため、撮影される画像が通常の撮影と比べノイジィになるという問題がある。デジタルカメラではＣＣＤユニットが受光した光を光電変換することで光を電気信号に変換し、この電気信号に対し感度に応じたゲインを乗算し、その信号をＡ／Ｄ変換することでデジタルデータに変換する。感度を上げるということは少ない電気信号に対し、通常より大きなゲインを乗算するということを意味しており、Ｓ／Ｎが悪くなる。日々の技術進歩により同じ感度に対するＳ／Ｎは改善されているが低感度より高感度の方がＳ／Ｎが悪くなることは変わらない。
【００１１】
ところで、撮影時の感度（ＩＳＯ感度）を手動で設定できるモードと、被写体の明るさに応じてＡＵＴＯでカメラが感度（ＩＳＯ感度）を設定するＡＵＴＯＩＳＯ感度モードが知られている。また、最近のカメラでは、手ぶれ軽減モードと謳うモードを有しており、通常のＡＵＴＯより設定されるＩＳＯ感度の上限を高くすることで手ぶれを軽減するというものがある。
【００１２】
このようなＡＵＴＯＩＳＯ感度モードや、手ぶれ軽減モードでは、撮影される前にどのくらいの感度で撮影されるのかを容易に知ることができず、撮影後確認してみると非常にノイジィで写真として使い物にならないといった不具合が発生してしまう。
また、例えば、ＩＳＯ感度ＡＵＴＯモードではＩＳＯ１００〜ＩＳＯ４００までの間で最適な感度が設定されるとマニュアルに記載してあったとしても、あるユーザはＡＵＴＯＩＳＯ感度のリミットであるＩＳＯ４００の撮影ノイズを許しても、別のユーザはＩＳＯ２００までしか許せないというようなことがある。このようなユーザはＩＳＯ感度固定モードを使い撮影するという煩わしい作業を行わなければならない。
【００１３】
これらの不具合に対して、特許文献１に開示の技術は、感度に関して情報が得られにくく（被写体の明るさ及び撮影Ｆ値とシャッタースピードで予測はできるが困難であるといえる）、記録画像がどのくらいノイズがでるかは分からない。
また、特許文献２に開示の技術は、標準撮影モードと高感度撮影モードとの境界となる感度の値が固定であり、ユーザにより異なる画像のノイズに対する許容度には対応できないという不具合がある。
【００１４】
そこで、本発明の目的は、感度の比較的高い撮影がなされる場合には、撮影した後に高感度撮影であることをユーザに知らせ、しかも、どの値の感度から知らせるべきかをユーザが設定できるようにすることである。
【課題を解決するための手段】
【００１５】
請求項１に記載の発明は、被写体を表す光学像を電気信号に変換する撮像手段と、前記電気信号を映像処理信号に変換する信号処理手段と、前記映像信号を情報記録媒体に記憶する画像記録手段と、前記撮像手段による撮影時の感度を計算する撮影感度計算手段と、前記撮影時の感度が予め設定されている一定の感度より高いか否かを判定する高感度撮影判定手段と、前記高感度撮影判定手段により撮影感度が前記一定の感度より高いと判定されたとき、その旨を報知する報知手段と、前記一定の感度を所望の値に設定する設定手段と、を備えている撮像装置である。
【００１６】
請求項２に記載の発明は、請求項１に記載の撮像装置において、画像を表示する画像表示手段をさらに備え、前記報知手段は、前記画像表示手段により所定の画像を表示することで報知を行う。
【００１７】
請求項３に記載の発明は、請求項２に記載の撮像装置において、前記報知手段は、前記画像表示手段により前記撮影感度計算手段で計算した感度を表示することで報知を行う。
【００１８】
請求項４に記載の発明は、請求項２又は３に記載の撮像装置において、撮像装置前記設定手段は、前記報知手段が前記画像表示手段により所定の画像を表示することで報知を行うときは、前記画像表示手段により画面上で前記一定の感度の所望の値への設定を行う。
【００１９】
請求項５に記載の発明は、請求項４に記載の撮像装置において、前記設定手段は、前記画面上で表示された複数の感度の中から所望するもの選択することで前記設定を行う。
【発明の効果】
【００２０】
請求項１に記載の発明によれば、感度の高い撮影がなされる場合、撮影した後に高感度撮影であることをユーザに知らせることができる。これにより、ユーザは撮影画像が通常よりノイジィであることを認識し、必要に応じてマニュアルで撮影ＩＳＯ感度を設定変更し、もう一度撮影することなどが可能となる。高感度でノイズが多めであるが手ぶれの可能性が低い写真と、低感度でノイズは少ないが手ぶれの可能性が高い写真とを後で見比べ、どちらが良いかを選択することができ、写真が台無しになるということを未然に防ぐことができる。
また、高感度の報知（警告）を撮影前ではなく撮影後に行うので、高感度の警告がユーザの撮影意欲を減退させ、あるいは、シャッターチャンスを逃してしまう可能性を防止することができる。
さらに、ユーザにより画像のノイズに対する許容度は異なり、また、被写体などの撮影条件によってもその許容度は異なるので、自己が許せる感度の上限を設定できるようにして、その感度を超える高感度の撮影がなされる場合に警告をするようにすることで、ユーザに応じた高感度の警告が可能となる。
【００２１】
請求項２に記載の発明によれば、簡単に、間違いなくユーザに高感度撮影であることを知らせることができる。
【００２２】
請求項３に記載の発明によれば、より詳細に撮影画像に乗るノイズ感をユーザに知らせることができる。
【００２３】
請求項４に記載の発明によれば、ユーザに少ない操作での設定を可能とし、低感度での撮影の設定ミスや、シャッターチャンスを失うことを防止することができる。
【００２４】
請求項５に記載の発明によれば、簡易な手段により設定することができる。
【発明を実施するための最良の形態】
【００２５】
以下、本発明の一実施形態について図面に基づいて説明する。
【００２６】
以下に説明する例は、本発明の撮像装置を、デジタルスチルカメラの撮影モジュールとしたデジタルカメラ撮像システムの例について説明するが、本発明はカメラ撮像システムに限るものではなく、ハンドスキャナとＰＤＡ（携帯情報端末装置）とを組み合わせるなど、画像入力装置、画像処理装置、表示装置を備えた画像処理システムとして実施してもよい。
【００２７】
図１は、本発明の一実施形態であるデジタルカメラの外観図であり、図１（ａ）は平面図、図１（ｂ）は正面図、図１（ｃ）は背面図である。同図の（ａ）（ｂ）に示すように、本実施形態のデジタルカメラ１００の筐体の上面には、リレーズシャッタ１０１、モードダイヤル１０２及びサブＬＥＤ１０７が設けられている。また、図１（ｂ）に示すように、本実施形態のデジタルカメラ１００の筐体の正面には、鏡胴ユニット１０３、リモコン受光部１０４、測距ユニット１０５、光学ファインダ１０６、ストロボ発光部１０８が設けられ、更には筐体の側面にはカード／電池蓋１０９が設けられている。そして、図１（ｃ）に示すように、本実施形態のデジタルカメラ１００の筐体の背面には、光学ファインダ１０６、電源スイッチ１１０、ＬＣＤモニタ１１１、ＭＥＮＵスイッチ１１２、ＯＫスイッチ１１３、ディスプレイスイッチ１１４、左／画像確認スイッチ１１５、下／マクロスイッチ１１６、右スイッチ１１７、上／ストロボスイッチ１１８、セルフタイマ／削除スイッチ１１９、ズームスイッチ１２０、オートフォーカスＬＥＤ１２１、ストロボＬＥＤ１２２が設けられている。
【００２８】
図２は、本実施形態のデジタルカメラの内部の機能ブロックの構成を示した概略図である。デジタルカメラ１００の撮像手段は、レンズユニット２０１、ＣＣＤ２０２、ＣＣＤを駆動するＴＧ（制御信号発生器）２０３、ＣＣＤ２０２の出力電気信号（アナログ画像データ）をサンプリングするＣＤＳ２０４、このサンプリングされたデータのゲインを調整するＡＧＣ（Auto Gain Control）２０５、デジタル信号に変換するＡ／Ｄ変換器２０６から構成されている。モータドライバ２０７は、レンズユニット２０１を図示しないモータで駆動する回路である。
【００２９】
レンズユニット２０１を介してＣＣＤ２０２で受光した画像は、Ａ／Ｄ変換器２０６でデジタル映像信号に変換されて、信号処理ＩＣ２１１に入力される。撮像手段から入力されたデジタル画像信号を表示や記録が可能なＹＵＶのデータ形式に変換してメモリに保存する画像処理手段であるＹＵＶ変換部２１２と、表示や記録のサイズにあわせて画像サイズを変更するリサイズ処理部２１３と、表示出力を制御する表示出力制御部２１４と、は、全て信号処理ＩＣ２１１に含まれている。
【００３０】
さらに、信号処理ＩＣ２１１は、ＣＣＤ２０２への同期信号を出力と同期信号に合わせたデータの取り込みを行うＣＣＤインターフェース２１６と、ＪＰＥＧで記録する場合のデータ圧縮、データ伸張を行う圧縮伸張部２１７と、画像データのメモリカード２１８への書き込みを制御するメディアＩ／Ｆ２１９と、全体のシステム制御や色情報の抽出などを行っているＣＰＵ２１５とを備えている。
【００３１】
表示出力制御部２１４は、デジタルカメラ１００に内蔵されているＬＣＤ１１１に出力を行うための、同期信号などの信号を付加して信号出力を行う。
【００３２】
ＳＤＲＡＭ２２１は、メモリーコントローラ２２３により制御され、画像データ及びＪＰＥＧ圧縮データを一時保管するメモリと、表示用データを保持するメモリと、ＣＰＵ２１５のＲＡＭとを兼ねている。ＲＯＭ２２２には、デジタルカメラ１００の制御を行う制御プログラムなどが格納されていて、このプログラム及び所定の固定データに基づいてＣＰＵ２１５は動作する。操作部２２３は、図１を参照して説明した各種スイッチ群を示すものである。
【００３３】
次に、デジタルカメラ１００による静止画撮影の処理について説明する。
レリーズシャッタボタン１０１が押されると、撮影に先立ちＡＦ(Auto Focus）処理が行われる。例えば、フォーカスレンズを移動させながらコントラストの最大値を見つける山登りＡＦなどが行われ、フォーカスを合わす。次に、静止画撮影用の電子シャッター本数の計算、設定と絞りの計算、設定が行われ（ＡＥ（Auto
Expousre）処理）、記録用の露光が行われる。露光完了時点でメカシャッタが閉じられ、ＣＣＤ２０２より静止画用のＲＡＷデータが出力される。レリーズ処理１（半押し）、レリーズ処理２（全押し）を搭載しているカメラシステムでは、レリーズ処理１時においてＡＦやＡＥ処理の計算を行い、レリーズ２処理で、設定および記録用の露光が行われるような制御を行うのが一般的である。
【００３４】
静止画用ＲＡＷデータはＳＤＲＡＭ２２１に取り込まれる。例えば、インタレース転送であれば、複数回の転送によって全てのＣＣＤデータがＲＡＷデータとしてＳＤＲＡＭ２２１に書き込まれる。全てのＲＡＷデータは、ＹＵＶ変換部２１２でＹＵＶデータに変換されてＳＤＲＡＭ２２１に書き戻される。一般的には、このＹＵＶ変換時にＷＢの設定値が反映される。ＷＢの設定値はＣＣＤ２０２から出力されるＲＡＷデータを信号処理ＩＣ２１１に取り込む時に得られるＲＧＢの積算結果を元にして計算される。一般的には、Ｇ画素に対するＲ画素、Ｂ画素の割合を計算し、Ｒ＝Ｇ＝Ｂとなるようなゲインをそれぞれの画素に乗算することで実現できる。ただし、この処理で色が合わせることができるのは白色の被写体を撮影した場合であり、一般撮影においては、撮影画像から白色を抽出する処理を行い、その抽出画像に対し上記処理を行うことでＡＷＢが実現できる。
【００３５】
ＹＵＶに変換されたデータはフルサイズ（ＣＣＤサイズ）であり、記録画像サイズがＣＣＤサイズよりも小さいサイズで記録される場合は、リサイズ部で画像が縮小される。撮影データの表示を行う場合も小さいサイズに縮小し、ＳＤＲＡＭ２２１に書き戻され、表示出力制御部２１４を介してＬＣＤモニタ１１１に送られて表示が行われる。記録用に用意されたＹＵＶ画像は、圧縮伸張部２１７でＪＰＥＧ圧縮が行われる。ＪＰＥＧ圧縮結果はＳＤＲＡＭ２２１に書き戻され、ヘッダ追加などの処理が行われた後にメモリカード２１８へデータが保存される。以上が一般的な静止画撮影の処理である。
【００３６】
次に、デジタルカメラ１００が実行する特徴的な処理について説明する。
図３は、高感度撮影警告を実施する処理のフローチャートである。前述のような撮影（ステップＳ１）の後に、後述する高感度警告処理（ステップＳ２）が実行され、必要ならば高感度警告処理の中で高感度警告を行う。一方、図４の高感度撮影警告を実施する処理のフローチャートでは、図３と同様の処理を行い、高感度警告処理（ステップＳ２）の後に、後述する高感度撮影後処理（ステップＳ３）を行う。
【００３７】
次に、高感度警告処理（ステップＳ２）について説明する。
図５は、高感度警告処理（ステップＳ２）のサブルーチンについて説明するフローチャートである。まず、高感度警告処理（ステップＳ２）に先立ち、撮影処理（ステップＳ１）では、画像の記録時の感度の計算を行う。感度（ＩＳＯ感度、ＳＶ）の計算は、被写体の明るさ（Ｂｖ）に対し、適正露出となるように絞り値（Ａｖ）、シャッター秒時（Ｔｖ）の組み合わせで計算される。シャッター秒時を長くすれば低い感度で撮影できるが、それでは手ぶれが発生してしまうので、手ぶれしない程度の条件（例えばシャッター秒時１／３０までとする）まで感度を上げて撮影を行う。つまりシャッター秒時が長くなることによる手ぶれと、感度を上げることによるノイズの増大はトレードオフの関係にある。このようなＡＥ制御については様々な手段が知られているが、これらの内容については周知であるため詳細な説明は省略する。
【００３８】
高感度警告処理（ステップＳ２）では、このようにして得られた撮影時の感度の情報を取得し（ステップＳ１１）、次に、この記録感度と、あらかじめ設定されている一定の感度との比較を行う（ステップＳ１２）。あらかじめ設定されている一定の感度とは、例えば、ＩＳＯ４００など、それ以上の感度で記録すると記録画像がノイジィになると想定される感度の値であって、信号処理ＩＣ２１１のための固定データとしてＲＯＭ２２２などに記憶させておく。これと実際に計算された記録時に使用する感度を比較し、記録感度の方が高い場合は（ステップＳ１２のＹ）、警告処理（ステップＳ１３）を実行し、そうでない場合は（ステップＳ１２のＮ）、何も行わない。警告処理（ステップＳ１３）については後述する。
【００３９】
図６は、高感度警告処理（ステップＳ２）のサブルーチンの他の例について説明するフローチャートである。図６の例は、ステップＳ１１〜Ｓ１３は図５の例と同様であるが、感度の情報を取得した後に（ステップＳ１１）、ユーザが設定し、予めＲＯＭ２２２を構成するＥＥＰＲＯＭなどに記憶されている一定の感度の設定値を読み出し（ステップＳ１４）、この読み出した設定値の感度と、ステップＳ１１で取得した記録感度との比較を行うものである（ステップＳ１２）。
【００４０】
このようにすることで、ノイズについて寛容なユーザは一定の感度をＩＳＯ５００に、ノイズに対し寛容でないユーザはＩＳＯ２００にと、ユーザによりカスタマイズすることができ、ユーザに応じた高感度の警告が可能となる。
【００４１】
次に、警告処理（ステップＳ１３）について説明する。ここでは、具体的な警告処理を実現する例として、ＯＳＤ（On Screen Display）を利用して警告する方法について説明する。
ＯＳＤはデジタルカメラでは一般的に使われている技術で、自然画の上に作成した情報を重ね合わせて表示する技術である。重ね合わせる情報をもったプレーンを用意しておき、自然画と重ね合わせてＬＣＤ等に表示することが可能である。
【００４２】
図９は、前述のＯＳＤ技術を利用して、ＬＣＤモニタ１１１上にスルー画とともにノイジィであることを示す「ＮＯＩＳＥ」という表示を示しているイメージの例である。なお、「ＮＯＩＳＥ」という表示を点灯表示するなど、よりユーザに目立つ表示を行うことも有効である。「ＮＯＩＳＥ」という分かりやすい表示であまりデジタルカメラ１００に詳しくないユーザであってもノイズが多くなると理解することができる。
【００４３】
図１０は、ＬＣＤモニタ１１１に記録時のＩＳＯ感度を重ね合わせ表示させた例である。高感度時に具体的なＩＳＯ感度を表示することで、例えば、被写体に応じて記録するか否かの判断ができる。多少ノイズが多くても許されるような被写体を撮影する場合は、高感度警告がされてもそのまま撮影すればよいし、人物撮影などノイズが発生しては困る場合は低ＩＳＯ感度に固定するようにし、撮影を行うようにするなどの判断が可能となる。
【００４４】
図１１は、ＬＣＤモニタ１１１にノイズを表すノイズプレーンを重ね合わせ表示させた例である。「ＮＯＩＳＥ」という文字や、ＩＳＯ感度を示すよりもより具体的にノイズが発生することをユーザに知らせることができる。ノイズの大きさを示すノイズプレーンを複数用意しておき、撮影される感度に応じてどのノイズプレーンを重ね合わせて表示するかを選択することができる。図１２〜図１４はノイズプレーンの例を示すものである。ノイズプレーンはビットマップデータとして信号処理ＩＣ２１１に用意しておけばよい。撮影感度が高い時は図１４のような激しいノイズを示すプレーンを選択し、高感度撮影の中でも相対的に感度が低い場合は図１２のような小ノイズを示すプレーンを選択するようにする。このように高感度撮影時のＩＳＯ感度に応じてノイズプレーンを変更しながら高感度警告を実現する方法と、プレーンの変更はせず、先述の一定のＩＳＯ感度より撮影感度が大きいときは感度に関らず高感度撮影であることを示すノイズプレーンを重ね合わせ表示することで高感度警告する方法が考えられる。
【００４５】
警告処理がＬＣＤモニタ１１１に表示されるメリットとして、撮影時にユーザが容易に警告表示に気づくことができることである。ＬＣＤモニタ１１１を供えたデジタルカメラ１００では、ＬＣＤモニタ１１１で被写体を確認しながら撮影するのが一般的であり、ＬＣＤモニタ１１１に警告表示をさせることでほぼ間違いなく警告をユーザにしらせることができる。また、デジタル一眼システムのように、被写体の確認をビューファインダーまたは電子ビューファインダー等を利用するシステムはビューファインダーに高感度警告表示を行えばよい。その他、警告音を鳴らすことで高感度警告を実現することも考えられる。
次に、高感度撮影後処理（ステップＳ３）について説明する。図７は、高感度撮影後処理（ステップＳ３）のフローチャートであり、高感度撮影が行われた後に、撮影感度を変更することを可能とする撮影感度選択処理を実行し、次の撮影を行うという処理に関するものである。
すなわち、高感度の撮影（ステップＳ１）が行われた後、高感度の撮影であることを警告表示するとともに（ステップＳ２）、撮影感度の変更を可能とする撮影感度選択処理（ステップＳ２１）を実行する。
【００４６】
撮影感度選択処理（ステップＳ２１）の概要を図１５に、その処理のフローチャートを図１６に示す。すなわち、感度の変更を行うか否かはユーザが選択し（ステップＳ３１）、変更を行う場合は（ステップＳ３１のＹ）、さらにどの感度で撮影するかを選択できるようにして、次の撮影パラメータにできるようにする（ステップＳ３２）。図１５では、感度の選択肢として代表的な感度を表示するようにしている。この例では、ＬＣＤモニタ１１１にＯＳＤを利用してユーザに感度の選択を可能とするようにしている。背景画像には高感度で撮影された画像を再生させるとどのような感じで撮影されたのかをある程度把握できるし、高感度撮影時にどのくらいの感度で撮影されたのかの情報を付加することで、次の撮影感度選択の基準としてもよい。
ここで、ユーザにより選択された感度を次の撮影のパラメータとして設定することで簡単に感度を変更し撮影することが可能となる。
【００４７】
図８は、高感度撮影後処理（ステップＳ３）の他の例を示すフローチャートである。ここでは、高感度撮影（ステップＳ１）が行われた後に、感度を変更し、連続して撮影を行うようにしている。
すなわち、高感度撮影時（ステップＳ１）の撮影感度を読み出し、それより低い感度を求めて次の撮影パラメータとし（ステップＳ４１）、連続して撮影を行う。このようにすることでシャッターチャンスを逃すことなく高感度でぶれの少ない画像と、低感度でノイズの少ない画像が取得できる。
【図面の簡単な説明】
【００４８】
【図１】本発明の一実施形態であるデジタルカメラの外観図である。
【図２】デジタルカメラの電気的な接続のブロック図である。
【図３】デジタルカメラの動作を説明するフローチャートである。
【図４】デジタルカメラの動作を説明するフローチャートである。
【図５】デジタルカメラの動作を説明するフローチャートである。
【図６】デジタルカメラの動作を説明するフローチャートである。
【図７】デジタルカメラの動作を説明するフローチャートである。
【図８】デジタルカメラの動作を説明するフローチャートである。
【図９】デジタルカメラの画面表示について説明する説明図である。
【図１０】デジタルカメラの画面表示について説明する説明図である。
【図１１】デジタルカメラの画面表示について説明する説明図である。
【図１２】デジタルカメラの画面表示について説明する説明図である。
【図１３】デジタルカメラの画面表示について説明する説明図である。
【図１４】デジタルカメラの画面表示について説明する説明図である。
【図１５】デジタルカメラの画面表示について説明する説明図である。
【図１６】デジタルカメラの動作を説明するフローチャートである。
【符号の説明】
【００４９】
１００  撮像装置
２０１  レンズユニット
２０２  ＣＣＤ
２１１  信号処理ＩＣ
２１５  ＣＰＵ
２２１  ＳＤＲＡＭ
【図２】
2008147924.tif 000003
【図３】
2008147924.tif 000004
【図４】
2008147924.tif 000005
【図５】
2008147924.tif 000006
【図６】
2008147924.tif 000007
【図７】
2008147924.tif 000008
【図８】
2008147924.tif 000009
【図１】
2008147924.tif 000010
【図９】
2008147924.tif 000011
【図１０】
2008147924.tif 000012
【図１１】
2008147924.tif 000013
【図１２】
2008147924.tif 000014
【図１３】
2008147924.tif 000015
【図１４】
2008147924.tif 000016
【図１５】
2008147924.tif 000017
【図１６】
2008147924.tif 000018